(57)【要約】【課題】スプリンクラヘッドの上下方向の取付位置を容易に調整することができるスプリンクラ配管を提供する。【解決手段】スプリンクラ配管５において、上端にスプリンクラ主管１の分岐口１ｂへ接続された巻き出し管３への取付部７ａを有すると共に、下端にスプリンクラヘッド６を取り付けるためのヘッド取付部７ｂを有し、且つ上下方向に伸縮可能な蛇腹管７と、該蛇腹管７の外周７ｃに接触し、該蛇腹管７がスプリンクラヘッド６からの放水時に変動するのを防ぐ内周８ａを有する蛇腹管保持体８と、該蛇腹管保持体８を天井裏に設けられる支持材４に固定する固定具９とを備える。【選択図】図１
2009089767.tif 000002
【特許請求の範囲】
【請求項１】
上端にスプリンクラ主管の分岐口への取付部又は該分岐口へ接続される巻き出し管への取付部を有すると共に、下端にスプリンクラヘッドを取り付けるためのヘッド取付部を有し、且つ上下方向に伸縮可能な蛇腹管と、該蛇腹管の外周に接触し、該蛇腹管がスプリンクラヘッドからの放水時に変動するのを防ぐ内周を有する蛇腹管保持体と、該蛇腹管保持体を天井裏に設けられる支持材に固定する固定具とを備えていることを特徴とするスプリンクラ配管。
【請求項２】
前記蛇腹管保持体の内周が、前記蛇腹管の外周の凹凸形状と合致する形状に形成されていることを特徴とする請求項１に記載のスプリンクラ配管。
【発明の詳細な説明】
【技術分野】
【０００１】
この発明は、スプリンクラヘッドをスプリンクラ主管に接続するためのスプリンクラ配管に関する。
【背景技術】
【０００２】
従来、天井裏にスプリンクラヘッドを設置する手段として、スプリンクラ主管の分岐口とスプリンクラヘッドとの間を巻き出し管で接続し、その巻き出し管をエルボや水平管等を利用して、上下左右方向の位置を変更して、スプリンクラヘッドを所定位置に調整する技術が一般に採用されていた。
【０００３】
前記の様な巻き出し管を用いた技術の場合、作業手数が多く、作業性も悪く、又その配管工事には熟練を要するという問題があった。
【０００４】
そこで、前記の問題を解決するために、特開平４−２２４７７４号公報（特許文献１）に開示の技術は、スプリンクラ主管への接続管と、金属製の可撓管を利用してスプリンクラヘッドを接続されるための取付管とを備えた支持フレームを設け、接続管に支持フレームを螺合させて支持フレームを接続管に対して上下方向に位置調整し、取付管を三方向から押圧して取付管を支持フレームに支持させる３本ネジ部材を設け、三方向からの押圧量を変更することにより、天井面の左右方向の位置を調整するようにしている。
【特許文献１】特開平４−２２４７７４号公報
【発明の開示】
【発明が解決しようとする課題】
【０００５】
しかしながら、巻き出し管を用いた技術の場合、施工の手順上、スプリンクラ配管を設置し、垂直方向に巻き出し管を接続した状態で、天井を張ることとなるので、実際には、巻き出し管の左右方向の位置の確認は容易で、左右方向の位置ずれが生じることはほとんど無い。即ち、左右方向の位置の調整の必要はほとんど無く、スプリンクラヘッドの天井からの出面調整のための上下方向の巻き出し管の長さの調整、即ち上下方向の位置の調整が必要となるのがほとんどであり、それに手数が掛かることが問題とされていた。
【０００６】
しかるに、前記公報に記載の技術は、上下方向の調整を支持フレームと接続管の螺合範囲を変更することによって行い、それをロックナットにより保持する構成となっているので、上下方向の調整には手数が掛かるものとなっている。
【０００７】
更に、前記公報に記載の技術は、前記の通り、上下方向の調整を支持フレームと接続管の螺合範囲の変更により行うものであるため、調整可能な範囲が狭いことから、調整範囲に不足が生じ、支持フレーム及び可撓管を取り替えてそれらの長さを変えることで調整せざるを得なくなることがあり、作業により手数が掛かることがある。
【０００８】
この発明は、前記事情に鑑み、スプリンクラ主管とスプリンクラヘッドを接続するスプリンクラ配管であって、スプリンクラヘッドの上下方向の取付位置を容易に調整することができるスプリンクラ配管を提供することを目的とする。
【課題を解決するための手段】
【０００９】
この発明は、上端にスプリンクラ主管の分岐口への取付部又は該分岐口へ接続された巻き出し管への取付部を有すると共に、下端にスプリンクラヘッドを取り付けるためのヘッド取付部を有し、且つ上下方向に伸縮可能な蛇腹管と、該蛇腹管の外周に接触し、該蛇腹管がスプリンクラヘッドからの放水時に変動するのを防ぐ内周を有する蛇腹管保持体と、該蛇腹管保持体を天井裏に設けられる支持材に固定する固定具とを備えていることを特徴とするスプリンクラ配管、である。
【００１０】
更に、この発明は、前記スプリンクラ配管であって、前記蛇腹管保持体の内周が、前記蛇腹管の外周の凹凸形状と合致する形状に形成されていることを特徴とするスプリンクラ配管、である。
【発明の効果】
【００１１】
この発明によれば、蛇腹管を上下に伸縮させるだけで、スプリンクラヘッドの取付部を上下させることができるので、容易にスプリンクラヘッドの上下方向の取付位置を調整することができる。
【００１２】
又、この発明によれば、蛇腹管保持体の内周によって蛇腹管を押さえているので、スプリンクラヘッドからの放水時に高圧の水が蛇腹管内を通っても、蛇腹管保持体によって蛇腹管が振動又は変形するのを防ぐことができる。更に蛇腹管保持体の内周を蛇腹管の外周の凹凸形状と合致する形状にすることで、蛇腹管保持体の内周の凹凸形状と蛇腹管の外周の凹凸形状とを互いに嵌合させて、互いの斜面同士を接触させた状態で、蛇腹管保持体内に蛇腹管を保持することとすれば、蛇腹管が変動するのをより確実に防ぐことができる。
【００１３】
又、この発明によれば、蛇腹管として樹脂製のものを用いることができ、樹脂製のものを用いれば、蛇腹管の伸縮が容易であり、蛇腹管によるスプリンクラヘッドの取り付け位置の上下方向の調整を容易に行うことができ、併せて蛇腹管保持体の内周を蛇腹管の外周の凹凸形状と合致する形状に形成したとしても、蛇腹管には柔軟性があるので、蛇腹管を１段ずつ押し込んだり又は引き出したりすることが可能であり、即ち蛇腹管によるスプリンクラヘッドの取り付け位置の上下方向の調整が可能である。
【発明を実施するための最良の形態】
【００１４】
この発明のスプリンクラ配管の実施の形態を図１乃至図６に基づき説明する。尚、図１はこの発明のスプリンクラ配管等の設置状態における斜視図、図２は同上の正面図、図３は同上の右側面図、図４は同上の背面図、図５は同上の左側面図、図６は、（ａ）及び（ｂ）何れも、この発明のスプリンクラ配管等と天井との位置関係を示すと共に、蛇腹管保持体の内側及び蛇腹管の外側を示す一部断面正面図であって、（ａ）が蛇腹管を伸ばした状態におけるもので、（ｂ）が蛇腹管を縮めた状態におけるものである。
【００１５】
図１乃至６において、１は天井２の裏側に水平方向に配設されるスプリンクラ主管、３はスプリンクラ主管１の分岐管部１ａの分岐口１ｂに上下方向に接続される直状の巻き出し管、４は天井２の裏側に水平方向に設けられ、例えば天井板を取り付けるためのものでもあるスプリンクラ配管用支持材である。そして、５がスプリンクラ配管であり、上端に巻き出し管３への取付部７ａを有すると共に、下端にスプリンクラヘッド６が取り付けられるヘッド取付部７ｂを有し、且つ上下方向に伸縮可能な蛇腹管７と、蛇腹管７の外周７ｃに接触して、蛇腹管７がスプリンクラヘッド６からの放水時に変動するのを防ぐ内周８ａを有する蛇腹管保持体８と、蛇腹管保持体８を支持材４に固定する固定具９とを有しており、取付部７ａが巻き出し管３に接続され、ヘッド取付部７ｂにスプリンクラヘッド６が取り付けられ、固定具９が支持材４に固定されることで、スプリンクラヘッド６を天井２の開口２ａから室内側に臨ませた状態で天井２の裏側に設置されている。なお、スプリンクラヘッド６はマルチ型でも、フラッシュ型でもよい。
【００１６】
スプリンクラ配管５によれば、例えば、図６（ａ）に示す様に、スプリンクラ主管１と天井面２との間の高さＨ１に応じて、蛇腹管７を伸ばせば、スプリンクラヘッド６の取付位置を下げたり、又、図６（ｂ）に示す様に、スプリンクラ主管１と天井面２との間の高さＨ２に応じて、蛇腹管７を縮めれば、スプリンクラヘッド６の取り付け位置を上げたりすることができる。ここで、図６では一例として、巻きだし管３へ蛇腹管７の取付部７ａを接続す場合、蛇腹管７の伸縮長さは、５〜１５ｃｍの間で伸縮可能となっている。
【００１７】
即ち、スプリンクラ配管５によれば、蛇腹管７を伸縮させるだけで、天井２の位置に合わせてスプリンクラヘッド６の上下方向の取付位置の調整をすることができる。
【００１８】
尚、スプリンクラ配管５において、蛇腹管７は樹脂製のものを用いており、その外周７ｃは上下方向に凹凸の斜面が連続する凹凸形状に形成されている。蛇腹管保持体８は、円筒形状をした一つの部材でもいいし、二以上の部材に分けて蛇腹管７を挟み込むように固定するような構成としてもよく、その内周８ａの形状は、蛇腹管７の外周７ｃの凹凸形状と合致するものとなっている。即ち、蛇腹管保持体８の内周８ａの凹凸形状と、蛇腹管７の外周７ｃの凹凸形状は、互いの斜面同士を接触させて、互いに嵌合可能なものとなっている（以上図６参照）。固定具９は断面コ字状の板体からなり、その対の開放端９ａ，９ａ側を貫通するボルト（ナットを含む）１０，１０を有しており、断面Ｃ字状の角材である支持材４の外側にその折り返し側から装着され、開放端９ａ，９ａ側がボルト１０，１０によって閉め込まれることで支持材４に固定される様になっている。そして、固定具９は結合部１１を介して蛇腹管保持体８と一体に設けられており、固定具９が支持材４に固定されることで、蛇腹管保持体８も固定される構造となっている。なお、固定具９、ボルト１０、結合部１１及び蛇腹管保持体８の材料は、金属のみならず一部又は全部に樹脂等を用いてもよい。
【００１９】
スプリンクラ配管５によれば、前記の通り、蛇腹管７を上下に伸縮させるだけで、スプリンクラヘッド６の取付位置を上下させることができ、容易にスプリンクラヘッド６の上下方向の取付位置を調整することができる。
【００２０】
又、蛇腹管保持体８の内周８ａは、平面状などの単に蛇腹管７の外周に接触する構成であったとしても、蛇腹管７がスプリンクラヘッド６からの放水時に変動するのを防ぐことは一応できるが、本実施の形態の様に、蛇腹管保持体８の内周８ａを蛇腹管７の外周７ｃの凹凸形状と合致する形状に形成し、蛇腹管保持体８の内周８ａの凹凸形状と蛇腹管７の外周７ｃの凹凸形状とを互いに嵌合させて、互いの斜面同士を接触させた状態で、蛇腹保持体８内に蛇腹管７を保持することとすれば、蛇腹管が変動するのをより確実に防ぐことができる。
【００２１】
又、蛇腹管７を樹脂製のものとしたことで、蛇腹管７を容易に伸縮させることができ、蛇腹管保持体８の内周８ａの凹凸形状と蛇腹管７の外周７ｃの凹凸形状が互いに嵌合した状態であっても、蛇腹管７には柔軟性があるので、凹凸形状を成している複数段並んだ蛇腹管７の凹凸部を１段ずつ押し込んだり又は引き出したりすることが可能であり、即ち蛇腹管７によるスプリンクラヘッド６の取り付け位置の上下方向の調整が可能である。
【００２２】
又、蛇腹管７の凹凸の形状は、図６で示しているように、その蛇腹管７の断面側部は、二等辺三角形が連続して設けられた山形状となっているが、これに限られるものではない。例えば、その二等辺三角形を直角三角形に変えて、この直角三角形の斜辺が下向きとなる向きで連続して設けて凹凸形状を形成するようにしてもよい。言い換えると、蛇腹管７の断面側部を鋸刃状に形成してもよく、設置後に天井面方向から上向きに力が加わっても、蛇腹管保持体８の凹凸に蛇腹管７の凹凸が接触し、容易に縮まなくなるといった効果が得られる。
【００２３】
又、巻き出し管３への取付部７ａを回動自在とし、蛇腹管保持体８の内周をネジのような螺旋形状とすることで、蛇腹管７本体を回転させ、前記螺旋状の部分に蛇腹が徐々に入り込むことで、蛇腹管７が上下方向に伸縮可能となる。このため、前述した実施例と比べると、蛇腹管保持体８を開閉させる等の必要が無く、より容易に調整できる。
【００２４】
又、この発明は天井が無い場所で使用してもよく、蛇腹管を上下に伸縮させて床面から放水口までの距離を調整することで、放水範囲の微調整が可能となる。
【００２５】
又、巻き出し管３を設けることで、放水時に蛇腹管７が変動する範囲を小さくできるので、蛇腹管７の上端にある取付部７ａを巻き出し管３と接続するものを示したが、取付部７ａを分岐口１ｂと直接接続する構成としてもよく、その場合、蛇腹管の伸縮は前述の伸縮長さに留まることなく、適宜その長さが伸縮可能となる。
【図面の簡単な説明】
【００２６】
【図１】この発明のスプリンクラ配管等の設置状態における斜視図である。
【図２】同上の正面図である。
【図３】同上の右側面図である。
【図４】同上の背面図である。
【図５】同上の左側面図である。
【図６】（ａ）及び（ｂ）何れも、この発明のスプリンクラ配管等と天井との位置関係を示すと共に、蛇腹管保持体の内側及び蛇腹管の外側を示す一部断面正面図であって、（ａ）が蛇腹管を伸ばした状態におけるもので、（ｂ）が蛇腹管を縮めた状態におけるものである。
【符号の説明】
【００２７】
１    スプリンクラ主管
１ａ  分岐管部
１ｂ  分岐口
２    天井面
２ａ  開口
３    巻き出し管
４    支持材
５    スプリンクラ配管
６    スプリンクラヘッド
７    蛇腹管
７ａ  取付部（上端）
７ｂ  取付部（下端）
７ｃ  外周
８    蛇腹管保持体
８ａ  内周
９    固定具
９ａ  開放端
１０  ボルト
１１  結合部
【図１】
2009089767.tif 000003
【図２】
2009089767.tif 000004
【図３】
2009089767.tif 000005
【図４】
2009089767.tif 000006
【図５】
2009089767.tif 000007
【図６】
2009089767.tif 000008